(57)【要約】      （修正有）【課題】ダンパが全開からある所定の開度までの範囲にわたって開かれている場合はダンパ開を、開かれていない場合はダンパ閉を検知し、それを外部に出力することができる自動ダンパ装置の提供。【解決手段】支持軸６に接続された、扉板７の回動と一緒に回転するカム２と、該カム２の外周面に対向してスイッチ部材５を有する検知装置４とを備えてなり、前記カム２は、その外周面に、凸部３を、全開に対応する位置から全開と全閉との中間の所定の開きに対応する位置まで連続して形成してなり、一方、前記検知装置４は、前記スイッチ部材５を前記カム２の外周面に対して付勢して備え、スイッチ部材５がカム２の外周面と当接しているとき、ダンパ開を検知し、反対に当接していないとき、ダンパ閉を検知し、そしてその検知された開閉信号を外部に出力する自動ダンパ装置とする。【選択図】図３
2005241133.tif 000002
【特許請求の範囲】
【請求項１】
外部からの動作信号に従い、ダンパ窓の中の扉板をその支持軸の周りに回動させることにより、全閉から全開までにわたって開閉動作を為す自動ダンパ装置において、
前記支持軸に接続された、前記扉板の回動と一緒に回転するカムと、
該カムの外周面に対向してスイッチ部材を有する検知装置とを備えてなり、
前記カムは、その外周面に、凸部を、全開に対応する位置から全開と全閉との中間の所定の開きに対応する位置まで連続して形成してなり、一方、
前記検知装置は、前記スイッチ部材を前記カムの外周面に対して付勢して備え、スイッチ部材がカムの外周面と当接しているとき、ダンパ開を検知し、反対に当接していないとき、ダンパ閉を検知し、そしてその検知された開閉信号を外部に出力することを特徴とする自動ダンパ装置に関する。
【発明の詳細な説明】
【技術分野】
【０００１】
本発明は、ガス流量の調整のために、ダクトに装備される自動ダンパ装置に関し、より詳しくは、ダンパの開閉について、全開からある所定の開度までの範囲にわたってダンパ開として検知し運転することができ、そのようなダンパ装置の運転が必要とされる制御システムにおいて利用するのに適した自動ダンパ装置に関する。
【背景技術】
【０００２】
工場、プラント設備内では、様々な用途に応じて複数の装置が使用され、複数の場所で排気ガスが発生することも多い。言換えれば、工場、プラント設備内には複数の排気ガス発生源が存在する。経済的な処理のために、各々の排気ガス発生源で発生した排気ガスは、ファンにより吸引されながら、それぞれ、枝分かれしている排気ダクトを通じて、１つの排気ガス処理装置へと集められ、処理される。そして、この場合、排気ガス処理装置に流入する排気ガスの流量は、各々の排気ガス発生源にそれぞれ装備された自動ダンパ装置の開度調節によって調整される。
【０００３】
従来の自動ダンパ装置は、一般に、ダンパの開位置及びダンパの閉位置にリミットスイッチが設けられ（特許文献１参照）、これにより全開又は全閉を検知し、その信号を外部に出力することができるものであった。しかしながら、複数の排気ガス発生源からの排気ガスを、枝分かれした１本の排気ダクトを通じて、１つの排気ガス処理装置へ吸引し処理するシステムの場合には、吸引ファンから排気ガス発生源までのダクトの長さ及び各々の排気ガス発生源における排気ガスの発生状況に応じて、各々の排気ガス発生源から吸引される排気ガスの流量を各排気ガス発生源ごとに変えて調節する必要があり、そのためには、各排気ガス発生源に装備される自動ダンパ装置は、全開からある所定の開度までの範囲にわたってダンパ開として検知し、運転制御することができる構成のものであることが必要とされる。しかし、従来の自動ダンパ装置は、ダンパ全開と全閉しか検知できず、全開から所定の開度までの範囲でダンパ開として検知し、それを外部へ出力することはできないので、上述のシステムには満足に利用することができないという問題点があった。
【特許文献１】特開２０００−３０５６２８号公報
【発明の開示】
【発明が解決しようとする課題】
【０００４】
本発明は、係る従来の事情を考慮してなされたものであって、その課題とするところは、ダンパが全開からある所定の開度までの範囲にわたって開かれている場合はダンパ開を、開かれていないまたは上記以外の範囲で開かれている場合はダンパ閉を検知し、それを外部に出力することができ、従って、複数の排気ガス発生源からの排気ガスを、枝分かれした排気ダクトを通じて、１つの排気ガス処理装置へ吸引し処理するシステムの運転において、各々の排気ガス発生源から吸引される排気ガスの流量を各排気ガス発生源ごとに変えて調節する必要があるところのシステムに満足に利用することができる自動ダンパ装置の提供を課題とする。
【課題を解決するための手段】
【０００５】
本発明は、前記課題を解決するために、工夫されたものであって、より詳しくは、外部からの動作信号に従い、ダンパ窓の中の扉板をその支持軸の周りに回動させることにより、全閉から全開までにわたって開閉動作を為す自動ダンパ装置において、
前記支持軸に接続された、前記扉板の回動と一緒に回転するカムと、
該カムの外周面に対向してスイッチ部材を有する検知装置とを備えてなり、
前記カムは、その外周面に、凸部を、全開に対応する位置から全開と全閉との中間の所
定の開きに対応する位置まで連続して形成してなり、一方、
前記検知装置は、前記スイッチ部材を前記カムの外周面に対して付勢して備え、スイッチ部材がカムの外周面と当接しているとき、ダンパ開を検知し、反対に当接していないとき、ダンパ閉を検知し、そしてその検知された開閉信号を外部に出力することを特徴とする自動ダンパ装置に関する。
【発明の効果】
【０００６】
本発明の自動ダンパ装置は、支持軸にカムが接続されており、カムは扉板の開動とともに支持軸を中心として回転する。また前記カムの外周面に対向して、スイッチ部材を有する検知装置が設けられている。スイッチ部材はカムの外周面に対して付勢して備えられ、具体的には押されれば引っ込み、押すのをやめれば再び突出する構造となっている。そして、前記カムの外周面には、全開に対応する位置から所定の開度に対応する位置まで凸部が連続して形成され、従って、扉板が全開から全開と全閉との中間の所定の開度の範囲にわたって開かれている場合は、カムの凸部が検知装置のスイッチ部材に当接するようになっている。そのため、検知装置は、カムの凸部によってスイッチ部材を押され、それによりダンパ開を検知し、その信号を外部に出力する。また反対に、扉板が全閉を含む所定の開度で開かれていない場合には、カムの凸部が検知装置のスイッチ部材に当接しない構成となっている。そのため、検知装置は、カムによってスイッチ部材が押されることはないので、ダンパ閉を検知し、その信号を外部へ出力する。これらの構成により、本発明のダンパ装置はダンパが全開から所定の開度までの範囲にわたって開かれているとき、ダンパ開として検知し、又、ダンパがその範囲外にて開かれているときもしくは全閉のとき、ダンパ閉として検知し、そして斯様な検知条件に基づいてダンパ開閉の運転制御をなすことができる。
【０００７】
従って、本発明によれば、全開からある開度までの範囲にわたってダンパ開として検知し、それ以外の場合はダンパ閉として検知し、そしてこの検知に基づいてダンパの開閉動作をなすことができ、よって、複数の排気ガス発生源からの排気ガスを、枝分かれした排気ダクトを通じて、１つの排気ガス処理装置へ吸引し処理するシステムにおいて、当該自動ダンパ装置を装備することにより、吸引ファンから排気ガス発生源までのダクトの長さ及び各々の排気ガス発生源における排気ガスの発生状況に応じて、各々の排気ガス発生源から吸引される排気ガスの流量を各排気ガス発生源ごとに変えて調節することができ、従って斯様な上記システムに満足に利用することができるという効果が得られる。
【発明を実施するための最良の形態】
【０００８】
以下、本発明の実施の形態を図面を参照してより具体的に説明する。
【０００９】
図１ないし図３は、本実施例の自動ダンパ装置を示す。図１は、その全閉状態を示す。図２は、その全開状態を示す。図３は、所定の開度で開かれている状態の本実施例の自動ダンパ装置を示す。
【００１０】
これらの図に示すように、本自動ダンパ装置１は、矩形の枠ケース１０内に、空気の流路となるダンパ窓８を有する。ダンパ窓８の中には、ダンパ窓８の半分の大きさよりやや小さい長方形の扉板７・が２枚上下に配置されている。各扉板７・の中央には支持軸６・が取付けられている。支持軸６の左右両端側には軸受け９が設けられている。これらの構成により上下２枚の扉板７は、各々回転自在に支持されており、具体的には、ダンパを開く際は、ダンパ窓８の中で支持軸６を中心として、図１（ａ）において扉板７の上部が紙面よりとび出す方向に回転し、又、ダンパを閉じるときは、それとは反対の方向に回転する。
【００１１】
この扉板７を、外部からの動作信号によって回転させるために、本発明の自動ダンパ装
置１には電動機１１が取付けられている。この電動機１１の回転軸１２、及び二本の支持軸６、６の各々には、レバー１４、１５、１６の一方側が取付けられている。そして、これら３本のレバー１４、１５、１６のもう一方側は、連結棒１３に接続されている。従って、これら３本のレバー１４、１５、１６は同じ回動動作をする。
外部からの動作信号に従い、図１の状態（全閉の状態）から、レバー１４が電動機１１により回転軸１２を中心として反時計回りに回動され、ｐの位置からｐ’’ の位置へ移動すると、同様に、レバー１５、１６も、支持軸６・を中心として反時計回りに回動され、ｑの位置からｑ’’ の位置、ｒの位置からｒ’’の位置へそれぞれ移動し、これにより扉板７・が支持軸６・を中心として反時計回りに回転し、図２に示すように、扉板７・がダンパ全開に開かれる。扉板７・が全開に開かれた状態では、扉板７・は、ダンパ窓８の面に対してほぼ垂直となっている。
また、外部からの動作信号に従い、図２の状態（全開の状態）から、レバー１４が電動機１１により回転軸１２を中心として時計回りに回動され、ｐ’’の位置からｐ’ の位置へ移動すると、同様に、レバー１５、１６も、支持軸６・を中心として時計回りに回動され、ｑ’’の位置からｑ’ の位置、ｒ’’の位置からｒ’の位置へそれぞれ移動し、これにより扉板７・が支持軸６・を中心として時計回りに回転し、図３に示すように、扉板７・が所定の開度まで閉められる。扉板７・が所定の開度で開かれている状態では、扉板７・は、ダンパ窓８の面に対して所定の角度で保たれている。
更に、外部からの動作信号に従い、図３の状態（所定の開度で開かれている状態）から、レバー１４が電動機１１により回転軸１２を中心として時計回りに回動され、ｐ’の位置からｐの位置の位置へ移動すると、同様に、レバー１５、１６も、支持軸６・を中心として時計回りに回動され、ｑ’の位置からｑの位置、ｒ’の位置からｒの位置へそれぞれ移動し、これにより扉板７・が支持軸６・を中心として時計回りに回転し、図１に示すように扉板７・が全閉まで閉められる。図１に示すように、扉板７・が全閉まで閉められた状態では、扉板７・は、ダンパ窓８の面に対して水平になっている。
【００１２】
更に、支持軸６には、扉板７の開動とともに支持軸６を中心として回転するカム２が取付けられている。カム２は、円盤状であり、その外周面に連続した凸部３を形成している。凸部３は、カム２の外周面において、全開に対応する位置３ｃから全開と全閉との中間の所定の開きに対応する位置３ｂまで連続して形成されている。従って、図１の状態（全閉の状態）から、電動機１１の運転によりレバー１５、１６が各々ｑ’’、ｒ’’の位置まで移動させられると、扉板７の支持軸６を中心とした反時計回りの回動とともに、カム２も支持軸６を中心として反時計回りに回転し、図２に示すように、カム２のスイッチ部材５に対向する位置が、３ａの位置から３ｃの位置になる。
また、図２の状態（全開の状態）から、電動機１１の運転によりレバー１５、１６が各々ｑ’、ｒ’の位置まで移動させられると、扉板７の支持軸６を中心とした時計回りの回動とともに、カム２も支持軸６を中心として時計回りに回転し、図３に示すように、カム２のスイッチ部材５に対向する位置が、３ｃの位置から３ｂの位置になる。
更に、図３（所定の開度で開かれている状態）から、電動機１１の運転によりレバー１５、１６が各々ｑ、ｒの位置まで移動させられると、扉板７の支持軸６を中心とした時計回りの回動とともに、カム２も支持軸６を中心として時計回りに回転し、図１に示すように、カム２のスイッチ部材５に対向する位置が、３ｂの位置から３ａの位置になる。
【００１３】
また、カム２の外周面に対向してスイッチ部材５を有する検知装置４が設けられている。前記検知装置４は、その頭部が外に突出する姿勢で前記スイッチ部材５を前記カム２の外周面に付勢して備えている。而して、扉板７・が全開から全開と全閉との中間の所定の開度までの範囲にわたって開かれている場合、即ち、カム２のスイッチ部材５に対向する位置が３ｂと３ｃの間にあるときは、カム２の凸部３がスイッチ部材５に当接し、検知装置４のスイッチ部材５が押される。これにより、ダンパ開が検知され、その信号が外部に出力される。また、扉板７・が全閉を含む所定の開度で開かれていない場合、即ち、カム
２のスイッチ部材５に対向する位置が３ａと３ｂの間にあるときは、カム２の外周面が検知装置４のスイッチ部材５に当接しない。そのためダンパ閉が検知され、その信号が外部に出力される。
【００１４】
次に、本発明の自動ダンパ装置１におけるダンパ開閉の動作を具体的に説明する。
【００１５】
全閉状態において、自動ダンパ装置１は、図１の（ａ）、（ｂ）図に示したように、レバー１４、１５、１６が一番上まで回動した状態となっている（各々、ｐ、ｑ、ｒの位置にある）。また、カム２と検知装置４の関係は、図１の（ｃ）図に示す通り、スイッチ部材５に対向するカム２の位置が、外周面に凸部３を形成していない３ａの位置であるので、カム２の外周面は検知装置４のスイッチ部材５に当接していない。故に、検知装置４によってダンパ閉が検知され、その信号が外部に出力されている。
【００１６】
図１の全閉状態の自動ダンパ装置１の電動機１１に、制御装置から全開までダンパを開く動作信号を出すと、図２に示すように、レバー１４がｐ’’の位置へ移動させられるとともに、レバー１５、１６も各々ｑ’’の位置及びｒ’’の位置へ移動させられる。そしてレバー１５、１６の回動とともに、扉板７・が回動し、全開まで開かれる。その際、カム２も扉板７の回動とともに回転し、検知装置４のスイッチ部材５に対向するカムの位置が全開に対応する位置３ｃになる（図２参照）。全開まで開かれた状態では、図２の（ａ）、（ｂ）図に示すように、レバー１４、１５、１６は一番下の位置（ｐ’’、ｑ’’及びｒ’’の位置）まで回動された状態となっている。また、カム２と検知装置４の関係は、図２の（ｃ）図に示す通り、スイッチ部材５に対向するカム２の位置が、外周面に凸部３を形成している３ｃの位置であるので、カム２の外周面の凸部３がスイッチ部材５に当接し押している。故に検知装置４によってダンパ開が検知され、その信号が外部に出力されている。
【００１７】
また、自動ダンパ装置１の電動機１１に、制御装置から所定の開度までダンパを開く動作信号を出すと、自動ダンパ装置１はまず上述したように全開にされる。その後、図２の全開状態から、レバー１４が、ｐ’の位置へ移動させられるとともに、レバー１５、１６も、各々ｑ’の位置及びｒ’の位置へ移動させられる。レバー１５、１６の回動とともに、扉板７・が回動し、所定の開度まで閉められる。その際、カム２も扉板７の回動とともに回転し、スイッチ部材５に対向するカム２の位置が所定の開きに対応する位置３ｂになる（図３参照）。所定の開度で開かれている状態では、図３の（ａ）、（ｂ）図に示したように、レバー１４、１５、１６は各々、ｐ’、ｑ’、ｒ’の位置まで回動された状態となっている。また、カム２と検知装置４の関係は、図３の（ｃ）図に示す通り、スイッチ部材５に対向するカム２の位置が、外周面に凸部３を形成している３ｂの位置であるので、カム２の外周面の凸部３が検知装置４のスイッチ部材５に当接し押している。故に、ダンパ開が検知され、その信号が外部に出力されている。
【００１８】
また、全開（図２）又は所定の開度（図３）で開かれている自動ダンパ装置１の電動機１１に、制御装置からダンパを全閉にする動作信号を出すと、レバー１４がｐの位置へ移動させられるとともに、レバー１５、１６も各々ｑの位置及びｒの位置へ移動させられる。レバー１５、１６の回動とともに、扉板７・が回動し、全閉まで閉められる（図１参照）。その際、カム２も、扉板７の回動とともに回転し、スイッチ部材５に対向するカム２の位置が全閉に対応する位置３ａになる。よって、全閉まで閉められた状態において、ダンパ閉が検知され、その信号が外部に出力されている。
【００１９】
実施例の自動ダンパ装置の使用例を以下に示す。
図４は、複数の排気ガス発生源（１７、１８、１９、２０）からの排気ガスを、枝分かれした１本の排気ダクト２１（２１ａ、２１ｂ、２１ｃ、２１ｄ）を通じて、１つの排気
ガス処理装置２０へ吸引し処理するシステムを示す。
このシステムでは、電着塗装後の乾燥炉１７、中塗り塗装後の乾燥炉１８、第二カラー塗装後の乾燥炉１９および第三カラー塗装後の乾燥炉２０の４つの乾燥炉（４つの排気ガス発生源）で排気ガスが発生する。各炉１７、１８、１９、２０で発生した排気ガスは、吸引ファン２２により吸引されながら、各炉１７、１８、１９、２０へ枝分かれしている排気ダクト２１（２１ａ、２１ｂ、２１ｃ、２１ｄ）を通じて１つの脱臭処理装置２３へ集められ、処理される。
このようなシステムでは、吸引ファン２２から各炉１７、１８、１９、２０までの各排気ダクト２１ａ、２１ｂ、２１ｃ、２１ｄの長さ及び各炉１７、１８、１９、２０における排気ガスの発生状況に応じて、各炉１７、１８、１９、２０から吸引される排気ガスの流量を各炉１７、１８、１９、２０ごとにそれぞれ調節する必要がある。
実施例の自動ダンパ装置２４ａ、２４ｂ、２４ｃ、２４ｄを、各々の炉１７、１８、１９、２０へと枝分かれした各排気ダクト２１ａ、２１ｂ、２１ｃ、２１ｄに装備させると、ダンパが全開からある所定の開度までの範囲にわたって開かれている場合は、ダンパ開を検知し、これを制御装置２５へ出力する。又、ダンパが全閉を含む所定の開度で開かれていない場合には、ダンパ閉を検知し、これを制御装置２５へ出力する。従って、実施例の自動ダンパ装置の装備により、全開からある所定の開度までの範囲にわたってダンパ開として、それ以外の範囲につきダンパ閉として運転制御をなすことができ、排気ガスの流量を各炉１７〜２０ごとに適宜変えて調節することができた。
【図面の簡単な説明】
【００２０】
【図１】（ａ）は全閉状態の、本発明の実施例の自動ダンパ装置の正面図であり、（ｂ）は（ａ）の自動ダンパ装置の右側面図であり、（ｃ）は、（ａ）の自動ダンパ装置のカムとスイッチ部材を有する検知装置の関係を示す図である。
【図２】（ａ）は全開状態の、図１の自動ダンパ装置の正面図であり、（ｂ）は（ａ）の自動ダンパ装置の右側面図であり、（ｃ）は、（ａ）の自動ダンパ装置１のカムとスイッチ部材を有する検知装置の関係を示す図である。
【図３】（ａ）は所定の開度で扉板が開かれている状態の、図1の自動ダンパ装置の正面図であり、（ｂ）は（ａ）の自動ダンパ装置の右側面図であり、（ｃ）は、（ａ）の自動ダンパ装置のカムとスイッチ部材を有する検知装置の関係を示す図である。
【図４】本発明の自動ダンパ装置を用いるのに適したシステムの一態様を示す図である
【符号の説明】
【００２１】
１．自動ダンパ装置  ２．カム  ３．凸部  ３ａ．全閉に対応する位置  ３ｂ．所定の開きに対応する位置  ３ｃ．全開に対応する位置  ４．検知装置  ５．スイッチ部材  ６．支持軸  ７．扉板  ８．ダンパ窓  ９．軸受け  １０．ケース  １１．電動機  １２．回転軸  １３．連結棒  １４．レバー  １５．レバー  １６レバー  １７．電着塗装後の乾燥炉  １８．中塗り塗装後の乾燥炉  １９．第二カラー塗装後の乾燥炉  ２０．第三カラー塗装後の乾燥炉  ２１．１本のダクト  ２１ａ排気ダクト  ２１ｂ．排気ダクト  ２１ｃ．排気ダクト  ２１ｄ．排気ダクト  ２２．吸引ファン  ２３．脱臭処理装置  ２４ａ．自動ダンパ装置  ２４ｂ．自動ダンパ装置  ２４ｃ．自動ダンパ装置  ２４ｄ．自動ダンパ装置  ２５．制御装置
【図１】
2005241133.tif 000003
【図２】
2005241133.tif 000004
【図３】
2005241133.tif 000005
【図４】
2005241133.tif 000006